(57)【要約】  呼吸用マスクは、ユーザの鼻及び口を覆うように構成された本体を含む。本体は、ユーザの顔に対して本体を少なくとも部分的に密閉するように構成されたフェイスシールを含む。フェイスシールは、顔と物理的に接触して係合して、本体と顔との間のシールの第１のセグメントを形成するように構成された標準反曲シールを含む。フェイスシールはまた、顔と物理的に接触して係合して、本体と顔との間のシールの第２のセグメントを形成するように構成された反転反曲シールを含む。この構成により、ユーザが話している又はユーザの顔を移動しているときでも、マスク本体がフェイスシールに対して適所で浮動して、マスクと顔との間のシールを保持することができる。【選択図】図１
2018532902.tif 000002
【特許請求の範囲】
【請求項１】
上部（２０）、下部（２２）、及びフェイスシール（２６）を含む本体（１２）を含む、口鼻用呼吸用マスク（１０）であって、前記フェイスシール（２６）は、
前記上部（２０）の標準反曲シール部分（２６ａ）、及び
前記下部（２２）の反転反曲シール部分（２６ｂ）を有する、口鼻用呼吸用マスク（１０）。
【請求項２】
前記標準反曲シール部分（２６ａ）は、第１の底部（３８）及び第１の開口部（３６）を有する断面Ｕ字形状を有し、
前記反転反曲シール部分（２６ｂ）は、第２の底部（５８）及び第２の開口部（５６）を有する断面Ｕ字形状を有し、前記第１の開口部（３６）は、第１の方向に向けられ、前記第２の開口部（５６）は、第２の方向に向けられ、前記第１及び第２の方向は、異なる、請求項１に記載の口鼻用呼吸用マスク（１０）。
【請求項３】
前記本体（１２）は、内面（１６）及び前記内面（１６）とは反対側を向いた外面（１８）を更に含み、前記内面（１６）から前記外面（１８）への方向は、第１の方向であり、前記外面（１８）から前記内面（１６）への方向は、第２の方向であり、前記標準反曲シール部分（２６ａ）は、前記第１の方向に延びる開口部（３６）を有する断面Ｕ字形状を有する、請求項１に記載の口鼻用呼吸用マスク（１０）。
【請求項４】
前記本体（１２）は、内面（１６）及び前記内面（１６）とは反対側を向いた外面（１８）を更に含み、前記内面（１６）から前記外面（１８）への方向は、第１の方向であり、前記外面（１８）から前記内面（１６）への方向は、第２の方向であり、前記反転反曲シール部分（２６ｂ）は、前記第２の方向に延びる開口部（５６）を有する断面Ｕ字形状を有する、請求項１に記載の口鼻用呼吸用マスク（１０）。
【請求項５】
前記内面から前記外面への方向は、第１の方向であり、前記外面から前記内面への方向は、第２の方向であり、前記標準反曲シール部分（２６ｂ）は、
前記本体（１２）から前記第２の方向に延びる第１の壁（２８）、
前記第１の壁（２８）に少なくとも実質的に平行な、前記本体（１２）に向かって前記第１の方向に延びる第２の壁（３２）、及び
前記第１の壁（２８）と前記第２の壁（３２）との間に延びる接触面（３０）を含む、請求項１に記載の口鼻用呼吸用マスク（１０）。
【請求項６】
前記内面から前記外面への方向は、第１の方向であり、前記外面から前記内面への方向は、第２の方向であり、前記反転反曲シール部分（２６ｂ）は、
前記本体（１２）から前記第１の方向に延びる第１の壁（４８）、
前記第１の壁（４８）から前記第１の方向及び前記第２の方向とは異なる方向に延びる第２の壁（５０）、及び
前記第２の壁（５０）から前記第２の方向に延びる第３の壁（５２）を含み、前記第１の壁（４８）及び前記第３の壁（５２）は、少なくとも実質的に平行であり、前記第３の壁（５２）は、接触面（５５）を含む、請求項１に記載の口鼻用呼吸用マスク（１０）。
【請求項７】
前記標準反曲シール部分（２６ａ）は、ユーザが前記マスク（１０）を装着しているときに前記標準反曲シール部分（２６ａ）が前記ユーザの鼻に隣接する前記ユーザの顔と物理的に接触して係合するように構成されるように、前記上部（２０）の境界に沿って延びる、請求項１に記載の口鼻用呼吸用マスク（１０）。
【請求項８】
前記反転反曲シール部分（２６ｂ）は、ユーザが前記マスク（１０）を装着しているときに前記反転反曲シール部分（２６ｂ）が前記ユーザの口に隣接する前記ユーザの顔と物理的に接触して係合するように構成されるように、前記下部（２２）の境界に沿って延びる、請求項１に記載の口鼻用呼吸用マスク（１０）。
【請求項９】
フレーム（２７）を更に含み、前記本体（１２）は、前記フレーム（２７）上にオーバーモールドされ、前記フレーム（２７）は、第１のデュロメータを有する第１の材料からなり、前記本体（１２）及びフェイスシール（２６）は、第２のデュロメータを有する第２の材料からなり、前記第１のデュロメータは、前記第２のデュロメータより大きい、請求項１に記載の口鼻用呼吸用マスク（１０）。
【請求項１０】
前記フレーム（２７）及び前記本体（１２）は、合わせて、取り付け可能な構成要素を受け入れるように構成された少なくとも１つの開口部（２４）を画定する、請求項９に記載の口鼻用呼吸用マスク（１０）。
【請求項１１】
前記フェイスシール（２６）は、前記標準反曲シール部分（２６ａ）と前記反転反曲シール部分（２６ｂ）との間の遷移部分（６４）を更に有する、請求項１に記載の口鼻用呼吸用マスク（１０）。
【請求項１２】
前記遷移部分（６４）は、少なくとも実質的に平坦である、請求項１１に記載の口鼻用呼吸用マスク（１０）。
【請求項１３】
前記本体（１２）は、ハーネスに係合するように構成された少なくとも１つの取付要素（２５）を更に含む、請求項１に記載の口鼻用呼吸用マスク（１０）。
【請求項１４】
上部（２０）、下部（２２）、及びフェイスシール（２６）を含む本体（１２）を含む口鼻用呼吸用マスク（１０）であって、前記フェイスシール（２６）は、
第１の方向に向けられた開口部（３６）を画定する第１の断面Ｕ字形状を有する、前記上部（２０）の境界に沿って延びる湾曲凸状の第１のシール（２６ａ）、及び
第２の方向に向けられた開口部（５６）を画定する第２の断面Ｕ字形状を有する、前記下部（２２）の境界に沿って延びる湾曲凹状の第２のシール（２６ｂ）を有し、前記第１の方向及び前記第２の方向は、互いに少なくとも実質的に反対向きである、口鼻用呼吸用マスク（１０）。
【請求項１５】
ユーザが前記マスク（１０）を装着しているときに、前記第１の方向は、前記ユーザの顔から離れ、前記第２の方向は、前記ユーザの顔に向かっている、請求項１４に記載の口鼻用呼吸用マスク（１０）。
【請求項１６】
前記湾曲凸状の第１のシール（２６ａ）は、
前記本体（１２）から前記第２の方向に延びる第１の壁（２８）、
前記第１の壁（２８）に少なくとも実質的に平行な、前記本体（１２）に向かって前記第１の方向に延びる第２の壁（３２）、及び
前記第１の壁（２８）と前記第２の壁（３２）との間に延びる密封ランド部（３０）を有する、請求項１４に記載の口鼻用呼吸用マスク（１０）。
【請求項１７】
前記湾曲凹状の第２のシール（２６ｂ）は、
前記本体（１２）から前記第１の方向に延びる第１の壁（４８）、
前記第１の壁（４８）から前記第１の方向及び前記第２の方向とは異なる方向に延びる第２の壁（５０）、及び
前記第２の壁（５０）から前記第２の方向に延びる第３の壁（５２）を有し、前記第１の壁（４８）及び前記第３の壁（５２）は、少なくとも実質的に平行である、請求項１４に記載の口鼻用呼吸用マスク（１０）。
【請求項１８】
前記湾曲凹状の第２のシール（２６ｂ）の前記第３の壁（５２）は、密封面（５５）を含み、前記第３の壁（５２）は、前記ユーザが前記マスク（１０）を装着しているときに前記密封面（５５）で前記ユーザの顔と物理的に接触して係合するように構成された、請求項１７に記載の口鼻用呼吸用マスク。
【請求項１９】
前記フェイスシール（２６）は、前記本体（１２）との単一の一体構造で一体的に形成された、請求項１４に記載の口鼻用呼吸用マスク。
【請求項２０】
第１のデュロメータを有する第１の材料からなるフレーム（２７）と、
前記第１のデュロメータ未満の第２のデュロメータを有する第２の材料からなる本体（１２）と、を備える口鼻用呼吸用マスク（１０）であって、
前記本体（１２）は、前記フレーム（２７）上にオーバーモールドされ、フェイスシール（２６）を含み、前記フェイスシール（２６）は、前記本体（１２）との単一の一体構造で一体的に形成され、
第１の壁（２８）、前記第１の壁（２８）と少なくとも実質的に平行な第２の壁（３２）、第１の方向に向けられ、前記第１の壁（２８）と前記第２の壁（３２）との間に画定された第１の開口部（３６）、及び、ユーザが前記マスク（１０）を装着しているときに前記ユーザの顔と物理的に接触して係合するように構成された、前記第１の開口部（３６）と対向する前記第１の壁（２８）と前記第２の壁（３２）との間の第１の接触面（３０）を有する標準反曲シール部分（２６ａ）と、
第３の壁（４８）、第４の壁（５２）、前記第１の方向と互いに少なくとも実質的に反対方向の第２の方向に向けられ、前記第３の壁（４８）と前記第４の壁（５２）との間に画定された第２の開口部（５６）、及び、前記ユーザが前記マスク（１０）を装着しているときに前記ユーザの顔と物理的に接触して係合するように構成された、前記第４の壁（５２）上の第２の接触面（５５）を有する反転反曲シール部分（２６ｂ）とを有する、口鼻用呼吸用マスク（１０）。
【発明の詳細な説明】
【技術分野】
【０００１】
本出願は、概して呼吸保護のための呼吸用マスクに関する。具体的には、本出願は、着用者に対して向上した快適さを提供する呼吸用マスクのフェイスシールに関する。
【背景技術】
【０００２】
呼吸用マスクは、気体、蒸気、エアロゾル（例えば、塵、霧、及び／又は生物剤）及び／又は同様なものなどの有害物質に人々が曝される環境で使用される。呼吸用マスクは、より安価な使い捨て式マスクから、交換可能な濾過カートリッジを含むより高コストの再使用可能なマスクに及ぶ、多種多様な種類及びサイズのものがある。大部分の呼吸用マスクは、ユーザの顔に対して密閉するフェイスシールを含む。例えば、フェイスシールは、ユーザの顔と物理的に接触して係合しシールを生成する、可撓性リップ、ガスケット、クッション、及び／又は同様なものを含むことができる。
【０００３】
しかし、多くのユーザにとって、相対的に快適であると共に適切なシールを提供するマスクとのフィット性を実現することは困難であることがある。一部のユーザは、マスクのフェイスシールとユーザの顔との間にシールが生成されるとマスクを装着することが不快であると感じることがある。例えば、少なくともいくつかの既知のフェイスシールは、不均一な圧力をユーザの顔に作用させ、フェイスシールのより高い圧力のエリア（一般的に「ホットスポット」と呼ばれる）が、結果としてユーザの顔との不快な接触点となることがある。
【発明の概要】
【０００４】
本発明は、呼吸用マスク、具体的には、標準反曲シールを有する第１の部分、及び反転反曲シールを有する第２の部分を有するフェイスシールを含む口鼻用マスクを好都合に提供する。第１及び第２の部分のそれぞれは、開口部を有するＵ字形状を画定することができ、第１及び第２の部分の開口部は、異なる方向に向けられている。具体的には、第１の部分のＵ字形状の開口部は、ユーザの顔から離れて向けられ、第２の部分のＵ字形状の開口部は、ユーザの顔に向かって向けられている。換言すれば、ユーザの視点から断面で見ると、第１の部分（標準反曲シール）は、少なくとも実質的に湾曲凸状であり、第２の部分（反転反曲シール）は、少なくとも実質的に湾曲凹状である。この構成は、ユーザの顎及び頬が移動しているときでも、ユーザの顔に対して優れたシールを提供する。これは、フェイスシールの第２の部分の反転反曲シールが、マスクの本体をシールを破ることなくユーザの顔の上で浮動することができるようにするためである。
【０００５】
一実施形態では、口鼻用呼吸用マスクは、上部、下部、及びフェイスシールを含む本体を含み、フェイスシールは、上部の標準反曲部分及び下部の反転反曲シール部分を有する。
【０００６】
この実施形態の一態様では、標準反曲シール部分は、第１の底部及び第１の開口部を有する断面Ｕ字形状を有し、反転反曲シール部分は、第２の底部及び第２の開口部を有する断面Ｕ字形状を有し、第１の開口部は、第１の方向に向けられ、第２の開口部は、第２の方向に向けられ、第１及び第２の方向は、異なる。
【０００７】
この実施形態の別の態様では、本体は、内面及び内面とは反対側を向いた外面を更に含み、内面から外面への方向は、第１の方向であり、外面から内面への方向は、第２の方向であり、標準反曲シール部分は、第１の方向に延びる開口部を有する断面Ｕ字形状を有する。
【０００８】
この実施形態の別の態様では、本体は、内面及び内面とは反対側を向いた外面を更に含み、内面から外面への方向は、第１の方向であり、外面から内面への方向は、第２の方向であり、反転反曲シール部分は、第２の方向に延びる開口部を有する断面Ｕ字形状を有する。
【０００９】
この実施形態の別の態様では、内面から外面への方向は、第１の方向であり、外面から内面への方向は、第２の方向であり、標準反曲シール部分は、本体から第２の方向に延びる第１の壁、本体に向かって第１の方向に延びる第２の壁、及び第１の壁と第２の壁との間に延びる接触面を含み、第１の壁及び第２の壁は、少なくとも実質的に平行である。
【００１０】
この実施形態の別の態様では、内面から外面への方向は、第１の方向であり、外面から内面への方向は、第２の方向であり、反転反曲シール部分は、本体から第１の方向に延びる第１の壁、第１の壁から第１の方向及び第２の方向とは異なる方向に延びる第２の壁、及び第２の壁から第２の方向に延びる第３の壁を含み、第１の壁及び第３の壁は、少なくとも実質的に平行であり、第３の壁は、接触面を含む。
【００１１】
この実施形態の別の態様では、標準反曲シール部分は、ユーザがマスクを装着しているときに標準反曲シール部分がユーザの鼻に隣接するユーザの顔と物理的に接触して係合するように構成されるように、上部の境界に沿って延びる。
【００１２】
この実施形態の別の態様では、反転反曲シール部分は、ユーザがマスクを装着しているときに反転反曲シール部分がユーザの口に隣接するユーザの顔と物理的に接触して係合するように構成されるように、下部の境界に沿って延びる。
【００１３】
この実施形態の別の態様では、呼吸用マスクは、フレームを更に含み、本体は、フレーム上にオーバーモールドされ、フレームは、第１のデュロメータを有する第１の材料からなり、本体及びフェイスシールは、第２のデュロメータを有する第２の材料からなり、第１のデュロメータは、第２のデュロメータより大きい。この実施形態の別の態様では、フレーム及び本体は、合わせて、取り付け可能な構成要素を受け入れるように構成された少なくとも１つの開口部を画定する。
【００１４】
この実施形態の別の態様では、フェイスシールは、標準反曲シール部分と反転反曲シール部分との間の遷移部分を更に有する。この実施形態の別の態様では、遷移部分は、少なくとも実質的に平坦である。
【００１５】
この実施形態の別の態様では、本体は、ハーネスに係合するように構成された少なくとも１つの取付要素を更に含む。
【００１６】
別の実施形態では、口鼻用呼吸用マスクは、上部、下部、及びフェイスシールを含む本体を含み、フェイスシールは、第１の方向に向けられた開口部を画定する第１の断面Ｕ字形状を有する、上部の境界に沿って延びる湾曲凸状の第１のシール、及び第２の方向に向けられた開口部を画定する第２の断面Ｕ字形状を有する、下部の境界に沿って延びる湾曲凹状の第２のシールを有し、第１の方向及び第２の方向は、互いに少なくとも実質的に反対向きである。
【００１７】
この実施形態の別の態様では、ユーザがマスクを装着しているときに、第１の方向は、ユーザの顔から離れ、第２の方向は、ユーザの顔に向かっている。
【００１８】
この実施形態の別の態様では、湾曲凸状の第１のシールは、本体から第２の方向に延びる第１の壁、本体に向かって第１の方向に延びる第２の壁、及び第１の壁と第２の壁との間に延びる密封ランド部を有し、第１の壁及び第２の壁は、少なくとも実質的に平行である。
【００１９】
この実施形態の別の態様では、湾曲凹状の第２のシールは、本体から第１の方向に延びる第１の壁、第１の壁から第１の方向及び第２の方向とは異なる方向に延びる第２の壁、及び第２の壁から第２の方向に延びる第３の壁を有し、第１の壁及び第３の壁は、少なくとも実質的に平行である。この実施形態の別の態様では、湾曲凹状の第２のシールの第３の壁は、密封面を含み、第３の壁は、ユーザがマスクを装着しているときに密封面でユーザの顔と物理的に接触して係合するように構成される。
【００２０】
この実施形態の別の態様では、フェイスシールは、本体との単一の一体構造で一体的に形成される。
【００２１】
別の実施形態では、口鼻用呼吸用マスクは、第１のデュロメータを有する第１の材料からなるフレームと、第１のデュロメータ未満の第２のデュロメータを有する第２の材料からなる本体とを含み、本体は、フレーム上にオーバーモールドされ、フェイスシールを含み、フェイスシールは、本体との単一の一体構造で一体的に形成される。フェイスシールは、第１の壁、第２の壁、第１の壁と第２の壁との間に画定された第１の開口部、及び第１の開口部と対向する第１の壁と第２の壁との間の第１の接触面を有する標準反曲シール部分を有し、第１の壁及び第２の壁は、少なくとも実質的に平行であり、第１の開口部は、第１の方向に向けられ、第１の接触面は、ユーザがマスクを装着しているときにユーザの顔と物理的に接触して係合するように構成される。フェイスシールは、第３の壁、第４の壁、第３の壁と第４の壁との間に画定された第２の開口部、及び第４の壁上の第２の接触面を有する反転反曲シール部分を更に有し、第２の開口部は、第２の方向に向けられ、第１の方向及び第２の方向は、互いに少なくとも実質的に反対向きであり、第２の接触面は、ユーザがマスクを装着しているときにユーザの顔と物理的に接触して係合するように構成される。
【図面の簡単な説明】
【００２２】
【図１】呼吸保護を提供するための呼吸用マスクの一実施形態の斜視図である。
【図２】図１に示す呼吸用マスクの一部分の部分断面斜視図である。
【図３】図１及び図２に示す呼吸用マスクの側断面図である。
【図４】ユーザによって装着された呼吸用マスクの断面を示す、図１〜図３に示す呼吸用マスクの断面斜視図である。
【図５】図１に示す呼吸用マスクの一実施形態の側面図である。
【発明を実施するための形態】
【００２３】
本発明は、呼吸用マスク、具体的には、標準反曲シールを有する第１の部分、及び反転反曲シールを有する第２の部分を有するフェイスシールを含む口鼻用マスクを好都合に提供する。シールの第１の部分は、ユーザの鼻及び頬の少なくとも実質的に近傍のユーザの顔と物理的に係合してシールを提供するように構成される。換言すれば、第１の部分は、口鼻用マスクの上部にある。シールの第２の部分は、ユーザの口及び下顎の少なくとも実質的に近傍のユーザの顔と物理的に係合してシールを提供するように構成される。更に、第１及び第２の部分のそれぞれは、開口部を有する断面Ｕ字形状を画定することができ、第１及び第２の部分の開口部は、異なる方向に向けられている。具体的には、第１の部分のＵ字形状の開口部は、ユーザの顔から離れて向けられ、第２の部分のＵ字形状の開口部は、ユーザの顔に向かって向けられている。換言すれば、ユーザの視点から断面で見ると、第１の部分（標準反曲シール）は、少なくとも実質的に湾曲凸状であり、第２の部分（反転反曲シール）は、少なくとも実質的に湾曲凹状である。この構成は、ユーザの顎及び頬が移動しているときでも、ユーザの顔に対して優れたシールを提供する。これは、フェイスシールの第２の部分の反転反曲シールが、マスクの本体をユーザとマスクとの間のシールを破ることなくユーザの顔の上で「浮動する」ことができるようにするためである。
【００２４】
本開示に係る例示的な実施形態を詳細に説明する前に、構成要素は、適切な場合には図面において慣例的な記号によって表され、本明細書の説明の利益を有する当業者に容易に明らかであろう詳細により本開示を不明瞭にしないように、本開示の実施形態を理解することに関連する特定の詳細のみを示していることが留意される。
【００２５】
本明細書で使用されるとき、「第１の（first）」、「第２の（second）」、「上部（top）」、及び「下部（bottom）」などの関係を示す用語は、１つの実体又は要素を別の実体又は要素と単に区別するために、なんらかの物理的若しくは論理的関係、又はそのような実体若しくは要素の間の順序を必ずしも必要とする又は意味することなく、使用される場合がある。本明細書で使用される専門用語は、特定の実施形態を説明するためだけのものであり、本明細書で説明する概念を限定することを意図していない。本明細書で使用されるとき、単数形の「ａ」、「ａｎ」、及び「ｔｈｅ」は、文脈上そうでないことを明確に示さない限り、複数形も含むことを意図している。本明細書で使用されるとき、「備える（comprises）」、「備える（comprising）」、「含む（includes）」、及び／又は「含む（including）」という用語は、言及された特徴、整数、ステップ、動作、要素、及び／又は構成要素の存在を明示し、１つ以上の他の特徴、整数、ステップ、動作、要素、構成要素、及び／若しくはそれらの群の存在又は追加を除外しないことが更に理解されるであろう。
【００２６】
別段に定義されていない限り、本明細書において使用されているすべての用語（技術的用語及び科学的用語を含む）は、本開示が属する分野の当業者に通常理解されるものと同じ意味を有している。本明細書で使用される用語は、本明細書の文脈及び関連技術におけるそれらの意味と矛盾しない意味を有するとして解釈されるべきであり、本明細書で特にそう定義されない限り、理想的又は過度に形式的な意味において解釈されないであろうことが更に理解されるであろう。
【００２７】
ここで、同様な参照呼称が同様な要素を指す図面の図を参照して、本発明の原理に従って構築された、呼吸保護を提供するための呼吸用マスクの実施形態を、これらの図に示し、概して「１０」と示す。図１を参照して、マスク１０は、気体、蒸気、エアロゾル（塵、霧、及び／又は生物剤などの）、及び／又は同様なものなどだがこれらに限定されない有害物質にユーザが曝される環境においてユーザによって装着されるように構成された、口鼻用マスクである。マスク１０は、ユーザの鼻及び口を覆うように（例えば、図４に示すように）構成された本体１２を含む。本明細書で示すように、マスク１０は、ユーザの眼を覆わない口鼻用半マスクである。しかし、マスク１０は、そのような構成に限定されず、代わりに、ユーザの顔に対して少なくとも部分的に密閉するように構成された、任意の他の種類のマスク１０とすることができることが理解されるであろう。
【００２８】
マスク１０の本体１２は、内面１６、及び内面１６とは反対側を向いた外面１８を含む。本体１２は、鼻エリア２０（マスク本体１２の「上部」と呼ばれることがある）及び口エリア２２（マスク本体１２の「下部」と呼ばれることがある）を含む。鼻エリア２０は、図４に示すように、鼻エリア２０がユーザの鼻の少なくとも一部分を覆うように、内部にユーザの鼻を受け入れるように構成される。図示した実施形態では、鼻エリア２０は、ユーザの鼻及び上頬の部分を覆う。また図４に示すように、マスク１０の口エリア２２は、ユーザの口を覆うように構成される。図示した実施形態では、口エリア２２は、ユーザの口、下顎の少なくとも一部分、及び下頬の部分を覆う。
【００２９】
マスク１０の本体１２は、１つ以上の開口部２４を含む。それぞれの開口部２４は、交換可能なフィルタカートリッジ、弁、空気ホース、及び／又はスピーチモジュールなどの、１つ以上の取り付け可能な構成要素（図示せず）を受け入れるように構成される。本体１２は、マスク１０の具体的な用途及び使用される取り付け可能な構成要素の数に依存して、任意の数の開口部２４を含むことができる。
【００３０】
図示していないが、マスク１０は、任意選択的に、ユーザの顔上にマスク本体１２を保持し、それによってマスク１０をユーザの鼻及び口の上の適所に保持するように構成されたハーネスを含む。いくつかの実施形態では、ハーネスは、マスク本体１２に取り付けられマスク１０をユーザの頭部に固定するように構成された、複数のストラップ（図示せず）を含む。例えば、マスク本体１２は、ハーネスを結合することができる１つ以上の取付要素２５を含むことができる。しかし、ハーネスは、任意の他の構造体を追加して又は代わりに含むことができることが理解されるであろう。ハーネスは、再使用可能とすることができる。任意選択的に、ハーネスは、使い捨て式である。ハーネスは、任意選択的に、相対的に一般的な滅菌方法で滅菌することが相対的に容易な材料を使用して作製される。
【００３１】
マスク本体１２は、任意の好適な材料（単数又は複数）からなることができる。例えば、マスク本体１２は、本体１２に少なくともなんらかの可撓性を提供する１つ以上の材料からなることができる。好適な材料の例としては、熱硬化性材料、熱可塑性材料、エラストマ、熱可塑性エラストマ、緩衝及び／若しくは減衰材料、形状記憶材料、並びに／又は同様なものが挙げられるが、これらに限定されない。
【００３２】
マスク本体１２は、ユーザの顔に対してマスクを少なくとも部分的に密閉するように構成されたフェイスシール２６を含む。以下により詳細に説明するように、フェイスシール２６は、シールの第１のセグメントを形成する標準反曲シール２６ａ、及びシールの第２のセグメントを形成する反転反曲シール２６ｂの両方を含む。標準反曲シール２６ａ及び反転屈曲シール２６ｂは、集合的に「シール２６」と呼ばれる。図１に示すように、標準反曲シール２６ａは、マスク本体１２の鼻エリア２０に沿って延びる。したがって、標準反曲シール２６ａは、ユーザの鼻に隣接するユーザの顔と物理的に接触して係合することにより、本体１２の鼻エリア２０をユーザの顔と少なくとも部分的に密閉するように構成される。フェイスシール２６の反転反曲シール２６ｂは、また図１に示すように、マスク本体１２の口エリア２２に沿って延びる。したがって、反転反曲シール２６ｂは、ユーザの口に隣接するユーザの顔と物理的に接触して係合することにより、本体１２の口エリア２２をユーザの顔と少なくとも部分的に密閉するように構成される。標準反曲シール２６ａ及び反転反曲シール２６ｂはそれぞれ、本明細書でそれぞれ「第１のシール」及び「第２のシール」と呼ばれることがある。
【００３３】
図２は、フェイスシール２６の標準反曲シール２６ａの一実施形態を示す、マスク１０の一部分の部分断面斜視図である。マスク本体１２の鼻エリア２０の一部分は、標準反曲シール２６ａの構成を示すために、図２から切り取られている。標準反曲シール２６ａは、マスク本体１２の鼻エリア２０に沿って延びる相対的に可撓性のリップによって画定される。例えば、マスク１０は、上に本体１２及びシール２６が成形された硬質のフレーム２７を含むことができる。シール２６全体は、標準反曲シール２６ａを含めて、フレーム２７より低いデュロメータを有する材料からなる。非限定的な実施例として、フレーム２７は、高密度ポリエチレン（high−density polyethylene）（ＨＤＰＥ）などの硬質プラスチックからなることができ、マスク本体１２の残部は、シール２６を含めて、シリコーンゴム、熱可塑性エラストマ（thermoplastic elastomer）（ＴＰＥ）、又はフレーム２７より可撓性の他の材料からなることができる。
【００３４】
標準反曲シール２６ａは、マスク本体１２から接触面とも呼ばれることがある密封ランド部３０に外向きに方向Ａ（図に矢印で示す方向性）に延びる第１の壁２８を含む。第１の壁２８の方向Ａは、ユーザがマスク１０を装着しているときに概ねユーザの顔に向かって（すなわち、概ねマスク本体１２から離れて）延びる。換言すれば、ユーザがマスク１０を装着しているとき、第１の壁２８は、マスク本体１２から概ねユーザの顔に向かう方向（すなわち、方向Ａ）に外向きに延びる。図２は、方向Ａに関して、平行であるように示されていない２つの矢印を示す。方向の矢印は、矢印が関連付けられたマスクの部分に対して示されていることが理解されるであろう。
【００３５】
標準反曲シール２６ａは、密封ランド部３０から第２の壁３２の自由端部３４に外向きに延びる第２の壁３２を含む。換言すれば、第１の壁２８及び第２の壁３２は、密封ランド部３０で互いに交差する。第２の壁３２は、ユーザがマスク１０を装着しているときに、密封ランド部３０から概ねユーザの顔から離れて（すなわち、概ねマスク本体１２に向かって）延びる方向Ｂに外向きに延びる。第１の壁２８及び第２の壁３２は、少なくとも実質的に平行である。
【００３６】
図２で見ることができるように、第１の壁２８、密封ランド部３０、及び第２の壁３２の相対的配置は、標準反曲シール２６ａに断面のＵ字形状（すなわち、断面Ｕ字形状）を与える。標準反曲シール２６ａのＵ字形状は、開口部３６、及び開口部３６の反対側の、Ｕ字形状の湾曲部分を形成する密封ランド部３０によって画定された底部３８を有する。換言すれば、開口部３６及び底部３８はそれぞれ、第１の壁２８と第２の壁３２との間に延び、互いに第１の壁２８及び第２の壁３２の反対側の端部上にある。底部３８は、「頂端」とも呼ばれることがあり、第１の壁２７と第２の壁３２との間に延びる。自由端部４０は、標準反曲シール２６ｂの構成及び開口部３６の方向性のため、マスク１０の内部に配置されている。図２に示すように、標準反曲シール２６ａのＵ字形状の開口部３６は、ユーザの顔及び底部３８から離れて延びる方向Ｂにある。換言すれば、ユーザがマスク１０を装着しているとき、標準反曲シール２６ａのＵ字形状の開口部３６は、概ねユーザの顔から離れて延びる。
【００３７】
標準反曲シール２６ａの密封ランド部３０は、ユーザの顔と物理的に接触して係合して、標準反曲シール２６ａとユーザの顔との間のシールを形成するように構成される。図１に示すように、標準反曲シール２６ａの図示した実施形態は、マスク本体１２の鼻エリア２０に沿った連続密封部材である。
【００３８】
標準反曲シール２６ａの図示した実施形態は、本体１２の残部との単一の一体構造として一体的に形成される。例えば、図示した実施形態では、少なくとも第１の壁２８は、本体１２の残部との単一の一体構造として一体的に形成される。しかし、第１の壁２８及び／又は標準反曲シール２６ａの任意の他の構造体は、マスク本体１２に取り付けられた個別の構成要素とすることができる。いくつかの実施形態では、標準反曲シール２６ａの構造体は、マスク本体１２に取り付けられた再使用可能な個別の成形部材（例えば、第１の壁２８）を含む。任意選択的に、標準反曲シール２６ａは、マスクの本体が濾過材料から作製される多くの使い捨て式呼吸用マスクにおいて一般的なように、マスク本体１２の濾過構造体（図示せず）の一部分によって画定される。
【００３９】
標準反曲シール２６ａは、少なくともなんらかの可撓性を有する、壁２８、密封ランド部３０、及び／又は壁３２などの標準反曲シール２６ａの様々な構造体のうちの１つ以上を提供する、１つ以上の材料からなることができる。いくつかの実施形態では、標準反曲シール２６ａの構造体のうちの１つ以上は、標準反曲シール２６ａが異なる顔の範囲のサイズ及び形状に適合するように構成されるように、十分に可撓性である。例えば、標準反曲シール２６ａを含むシール２６の可撓性のため、それぞれ異なる顔の形状及び特徴サイズを有する多数のユーザによって、同じマスクを使用することができる。好適な材料の例としては、熱硬化性材料、熱可塑性材料、エラストマ、熱可塑性エラストマ、緩衝及び／若しくは減衰材料、形状記憶材料、並びに／又は同様なものが挙げられるが、これらに限定されない。
【００４０】
材料（単数又は複数）、可撓性の量、寸法、形状、向き、姿勢、位置、及び／又は同様なものなどだがこれらに限定されない、標準反曲シール２６ａの様々な構造体の様々な設計パラメータは、標準反曲シール２６ａがユーザの顔との所定のシールを提供することができるように選択することができる。
【００４１】
図３は、マスク本体１２を図５の線３−３に沿って切った、マスク１０の側断面図である。図３は、フェイスシール２６の反転反曲シール２６ｂの一実施形態を示す。反転反曲シール２６ｂは、マスク本体１２の口エリア２２に沿って延びる相対的に可撓性のリップによって画定される。例えば、シール２６全体は、反転屈曲シール２６ｂを含めて、フレーム２７より低いデュロメータを有する材料からなる。反転反曲シール２６ｂは、マスク本体１２から方向Ｃに第２の壁５０に延びる第１の壁４８を含む。第１の壁４８の方向Ｃは、ユーザがマスク１０を装着しているときに概ねユーザの顔から離れて（すなわち、概ねマスク本体１２に向かって）延びる。換言すれば、ユーザがマスク１０を装着しているとき、反転反曲シール２６ｂの第１の壁４８は、マスク本体１２から方向Ｃに概ねユーザの顔から離れて延びる。
【００４２】
反転反曲シール２６ｂは、第２の壁５０から第３の壁５２の自由端部５４に外向きに延びる第３の壁５２を含む。換言すれば、第１の壁４８及び第３の壁５２は、第２の壁５０で互いに交差する。第３の壁５２は、ユーザがマスク１０を装着しているときに、第２の壁５０から概ねユーザの顔に向かって（すなわち、概ねマスク本体１２から離れて）延びる方向Ｄに外向きに延びる。第１の壁４８及び第３の壁５２は、少なくとも実質的に平行である。
【００４３】
反転反曲シール２６ｂの第３の壁５２は、ユーザの顔と物理的に接触して係合して、反転反曲シール２６ｂとユーザの顔との間のシールを形成するように構成される。具体的には、第３の壁５２の「接触面」とも呼ばれることがある密封面５５は、ユーザの顔と物理的に接触して係合して、反転反曲シール２６ｂとユーザの顔との間のシールを形成するように構成される。密封面５５はまた、密封ランド部又は接触面と呼ばれることがある。第２の壁５０は、ばねのように機能して、密封面５５をユーザの顔に対して押圧するための密封反力を提供する。図１に示すように、反転反曲シール２６ｂの図示した実施形態は、マスク本体１２の口エリア２２に沿った連続密封部材である。
【００４４】
図３で見ることができるように、第１の壁４８、第２の壁５０、及び第３の壁５２の相対的配置は、反転反曲シール２６ｂに断面のＵ字形状を与える。反転反曲シール２６ｂのＵ字形状は、開口部５６、及び開口部５６の反対側の、Ｕ字形状の湾曲部分を形成する第２の壁５０によって画定された底部５８を有する。底部５８はまた、「頂端」と呼ばれることがある。換言すれば、開口部５６及び底部５８（及び第２の壁５０）はそれぞれ、第１の壁４８と第３の壁５２との間に延び、互いに第１の壁４８及び第３の壁５２の反対側の端部上にある。反転反曲シール２６ｂのＵ字形状の開口部５６は、ユーザの顔に向かって延びる方向Ｄにある。換言すれば、ユーザがマスク１０を装着しているとき、反転反曲シール２６ｂのＵ字形状の開口部５６は、概ねユーザの顔に向かって向く。図４で最も分かるように、標準及び反転反曲シール２６ａ及び２６ｂそれぞれのＵ字形状の開口部３６及び５６は、互いに異なる方向を向く。すなわち、標準反曲シール２６ａのＵ字形状は、ユーザの顔から離れて方向Ｂに開いており、反転反曲シール２６ｂのＵ字形状は、ユーザの顔に向かって方向Ｄに開いている。
【００４５】
反転反曲シール２６ｂの図示した実施形態は、本体１２の残部との単一の一体構造として一体的に形成される。例えば、図示した実施形態では、第１の壁４８は、本体１２の残部との単一の一体構造として一体的に形成される。しかし、第１の壁４８及び／又は反転反曲シール２６ｂの任意の他の構造体は、マスク本体１２に取り付けられた個別の構成要素とすることができる。いくつかの実施形態では、反転反曲シール２６ｂの構造体は、マスク本体１２に取り付けられた再使用可能な個別の成形部材（例えば、第１の壁４８）を含む。任意選択的に、反転反曲シール２６ｂは、マスクの本体が濾過材料から作製される多くの使い捨て式呼吸用マスクにおいて一般的なように、マスク本体１２の濾過構造体（図示せず）の一部分によって画定される。
【００４６】
反転反曲シール２６ｂは、少なくともなんらかの可撓性を有する、第１の壁４８、第２の壁５０、及び／又は第３の壁５２などの反転反曲シール２６ｂの様々な構造体のうちの１つ以上を提供する、１つ以上の材料からなることができる。いくつかの実施形態では、反転反曲シール２６ｂの構造体のうちの１つ以上は、反転反曲シール２６ｂが異なる顔の範囲のサイズ及び形状に適合するように構成されるように、十分に可撓性である。例えば、反転反曲シール２６ｂを含むシールの可撓性のため、それぞれ異なる顔の形状及び特徴サイズを有する多数のユーザによって、同じマスクを使用することができる。好適な材料の例としては、熱硬化性材料、熱可塑性材料、エラストマ、熱可塑性エラストマ、緩衝及び／若しくは減衰材料、形状記憶材料、並びに／又は同様なものが挙げられるが、これらに限定されない。
【００４７】
材料（単数又は複数）、可撓性の量、寸法、形状、向き、姿勢、位置、及び／又は同様なものなどだがこれらに限定されない、反転反曲シール２６ｂの様々な構造体の様々な設計パラメータは、反転反曲シール２６ｂがユーザの顔との所定のシールを提供することができるように選択することができる。
【００４８】
図４は、マスク本体１２を図５の線３−３に沿って切った、ユーザ（定型化した人間の顔として示す）によって装着されているマスク１０の断面を示す、マスク１０の断面斜視図である。図示した実施形態では、マスク本体１２の鼻エリア２０は、ユーザの鼻を覆い、マスク本体１２の口エリア２２は、ユーザの口を覆う。マスク１０のフェイスシール２６は、ユーザの顔と物理的に接触して係合して、マスク本体１２をユーザの顔に対して少なくとも部分的に密閉する。具体的には、図４に示すように、標準反曲シール２６ａは、ユーザの鼻に隣接するユーザの顔と物理的に接触して係合して、標準反曲シール２６ａが、ユーザの上頬及び鼻を覆うようにしている。したがって、標準反曲シール２６ａの図示した実施形態は、ユーザの顔とマスク本体１２の鼻エリア２０を密閉する。また、図４に示すように、反転反曲シール２６ｂは、ユーザの口に隣接するユーザの顔と物理的に接触して係合して、反転反曲シール２６ｂが、ユーザの下顎及び下頬を覆うようにしている。したがって、反転反曲シール２６ｂの図示した実施形態は、ユーザの顔とマスク本体１２の口エリア２２を密閉する。図示した実施形態では、標準反曲シール２６ａ及び反転反曲シール２６ｂは、マスク本体１２に沿った、したがってユーザの顔の周囲の連続周囲密封部材を形成する。
【００４９】
図４に示すように、標準反曲シール２６ａのＵ字形状は、開口部３６で概ねユーザの顔から離れる方向Ｂに開いており、反転反曲シール２６ｂのＵ字形状は、開口部５６で概ねユーザの顔に向かう方向Ｄに開いている。上述したように、標準及び反転反曲シール２６ａ及び２６ｂそれぞれのＵ字形状の開口部３６及び５６は、それぞれ方向Ｂ及びＤに、互いに異なる方向を向く。更に、上述し、かつ図４に示すように、標準反曲シール２６ａ及び反転反曲シール２６ｂが概ね反対方向を向く開口部を有するＵ字形状を有するため、方向Ｂ及びＤは、互いに反対であると考えられるが、それぞれのユーザに対するマスクのフィット性の差は、方向Ｂ及びＤを互いに少なくとも実質的に反対向き、例えば、１８０°±４５°であるようにさせることができる。マスク１０のハーネスがユーザの頭部の周囲に締められると、標準反曲シール２６ａ及び反転反曲シール２６ｂは、マスク本体１２がユーザの顔に対して異なる方向に移動することができるようにする。具体的には、標準反曲シール２６ａは、ハーネスが締められると、マスク本体１２をユーザの顔から離れて押す。反転反曲シール２６ｂは、マスク本体１２がユーザの顔から離れて移動することができるようにし、それにより、フェイスシール２６に沿って相対的に連続した均一に分布した圧力を提供することができる。
【００５０】
図５は、標準反曲シール２６ａと反転反曲シール２６ｂとの間のマスク本体１２の遷移部分６４を示す、マスク１０の側面図である。上述したように、標準及び反転反曲シール２６ａ及び２６ｂそれぞれのＵ字形状の開口部３６及び５６は、異なる方向を向く。加えて、反転反曲シール２６ｂは、マスク本体１２から離れて向けられ、マスクの外部に露出した自由端部５４を含み、標準反曲シール２６ａの自由端部４０は、マスクの内部に配置される。側面から見ると、標準反曲シール２６ａは、湾曲凸状であり、反転反曲シール２６ｂは、湾曲凹状である。したがってシール２６は、シール２６の少なくとも一部分が少なくとも実質的に平坦であり、かつ湾曲凹状又は湾曲凸状のいずれでもない、標準反曲シール２６ａと反転反曲シール２６ｂとの間の遷移部分６４を含む。マスク本体１２は、第１の端部６６、第２の端部６８、及び第１の端部６６と第２の端部６８との間に延びる距離を含む。遷移部分６４は、第１の端部６６と第２の端部６８との間のおおよそ中間点に配置することができるが、遷移部分６４は、所与のユーザの顔に対して最良のシールを提供することになる、マスク本体１２の長さに沿った任意の位置とすることができることが理解されるであろう。
【００５１】
反転反曲シール２６ｂのＵ字形状及び方向Ｄに沿った開口部５６の向きは、ユーザの頬及び下顎をマスク本体１２から隔離し、これにより、ユーザが移動するとマスク１０が「浮動する」ことができるようにする。したがって、反転反曲シール２６ｂは、ユーザの移動中に反転反曲シール２６ｂと快適に係合する（したがって、密閉する）ように、ユーザの下顎を維持する。換言すれば、反転反曲シール２６ｂは、フェイスシール２６とユーザの顔との間のシールを破ることなく、ユーザ及びマスク１０が互いに対して移動することができるようにする。反転反曲シール２６ｂの密封面５５は、既知の標準反曲シールの密封ランド部より大きな表面積を有し、それにより、より大きなエリアにわたって密封力を分散させることができ、シール２６ｂの快適さを増大することができ、及び／又は、反転反曲シール２６ｂが、既知の標準反曲シールより、異なる顔の範囲のサイズ及び形状により良好に適合し、それによって少なくとも部分的にシールを形成することができるようにすることができる。
【００５２】
図示したフェイスシール２６は、ユーザのあらゆる移動に屈曲することを可能にすることができ、結果として既知の呼吸用マスクより高度なフィット性要素とすることができる。フェイスシール２６によって提供される向上した快適さ及びフィット性は、マスクが一回に数時間の間装着される場合でも、より良好なユーザ体験を提供することができる。したがって、フェイスシール２６は、適切な個人用保護具（personal protective equipment）（ＰＰＥ）を装着することに対するユーザの耐性を増大することができる。フェイスシール２６の反転反曲シール２６ｂは、ユーザの下顎及び下頬に沿った連続かつ均一に分布した圧力を提供することができる。フェイスシールの標準反曲シール２６ａは、異なる顔の範囲のサイズ及び形状に適合することができる。マスク本体１０の上部の標準反曲シール２６ａの形状は、相対的に急速に方向が変化する形状を有する、頬及び鼻エリアのユーザの顔に適合し、マスク本体１０の下部の反転反曲シール２６の形状は、より均一な形状を有しユーザの頬及び鼻エリアのように急速に方向が変化しないことがある、ユーザの下顎に対する大きな快適エリアを提供する。したがって、反転反曲シール２６ｂと組合わせた標準反曲シール２６ａを有するフェイスシール２６のハイブリッド設計は、既知の呼吸用マスクのフェイスシールと比較して、向上した快適さ及びフィット性を提供することができる。
【００５３】
本発明は、呼吸用マスク１０、具体的には、標準反曲シールを有する第１の部分２６ａ、及び反転反曲シールを有する第２の部分２６ｂを有するフェイスシール２６を含む口鼻用マスクを好都合に提供する。第１の部分２６ａ及び第２の部分２６ｂのそれぞれは、開口部３６、５６をそれぞれ有するＵ字形状を画定することができ、第１の部分２６ａ及び第２の部分２６ｂの開口部３６、５６は、異なる方向に向けられている。具体的には、第１の部分２６ａのＵ字形状の開口部３６は、ユーザの顔から離れて向けられ、第２の部分２６ｂのＵ字形状の開口部５６は、ユーザの顔に向かって向けられている。換言すれば、ユーザの視点から断面で見ると、第１の部分（標準反曲シール）２６ａは、少なくとも実質的に湾曲凸状であり、第２の部分（反転反曲シール）２６ｂは、少なくとも実質的に湾曲凹状である。この構成は、ユーザの顎及び頬が移動しているときでも、ユーザの顔に対して優れたシールを提供する。これは、フェイスシール２６の第２の部分の反転反曲シール２６ｂが、マスク本体１２をフェイスシール２６とユーザの顔との間のシールを破ることなくユーザの顔の上で浮動することができるようにするためである。
【００５４】
一実施形態では、口鼻用呼吸用マスク１０は、上部２０、下部２２、及びフェイスシール２６を含む本体１２を含み、フェイスシール２６は、上部２０の標準反曲部分（２６ａ）及び下部（２２）の反転反曲シール部分（２６ｂ）を有する。
【００５５】
この実施形態の一態様では、標準反曲シール部分２６ａは、第１の底部３８及び第１の開口部３６を有する断面Ｕ字形状を有し、反転反曲シール部分２６ｂは、第２の底部５８及び第２の開口部５６を有する断面Ｕ字形状を有し、第１の開口部３６は、第１の方向に向けられ、第２の開口部５６は、第２の方向に向けられ、第１及び第２の方向は、異なる。
【００５６】
この実施形態の別の態様では、本体１２は、内面１６及び内面１６とは反対側を向いた外面１８を更に含み、内面１６から外面１８への方向は、第１の方向であり、外面１８から内面１６への方向は、第２の方向であり、標準反曲シール部分２６ａは、第１の方向に延びる開口部３６を有する断面Ｕ字形状を有する。
【００５７】
この実施形態の別の態様では、本体１２は、内面１６及び内面１６とは反対側を向いた外面１８を更に含み、内面１６から外面１８への方向は、第１の方向であり、外面１８から内面１６への方向は、第２の方向であり、反転反曲シール部分２６ｂは、第２の方向に延びる開口部５６を有する断面Ｕ字形状を有する。
【００５８】
この実施形態の別の態様では、内面から外面への方向は、第１の方向であり、外面から内面への方向は、第２の方向であり、標準反曲シール部分２６ｂは、本体１２から第２の方向に延びる第１の壁２８、第１の壁２８に少なくとも実質的に平行な、本体１２に向かって第１の方向に延びる第２の壁３２、及び第１の壁２８と第２の壁３２との間に延びる接触面３０を含む。
【００５９】
この実施形態の別の態様では、内面から外面への方向は、第１の方向であり、外面から内面への方向は、第２の方向であり、反転反曲シール部分２６ｂは、本体１２から第１の方向に延びる第１の壁４８、第１の壁４８から第１の方向及び第２の方向とは異なる方向に延びる第２の壁５０、及び第２の壁５０から第２の方向に延びる第３の壁５２を含み、第１の壁４８及び第３の壁５２は、少なくとも実質的に平行であり、第３の壁５２は、接触面５５を含む。
【００６０】
この実施形態の別の態様では、標準反曲シール部分２６ａは、ユーザがマスク１０を装着しているときに標準反曲シール部分２６ａがユーザの鼻に隣接するユーザの顔と物理的に接触して係合するように構成されるように、上部２０の境界に沿って延びる。
【００６１】
この実施形態の別の態様では、反転反曲シール部分２６ｂは、ユーザがマスク１０を装着しているときに反転反曲シール部分２６ｂがユーザの口に隣接するユーザの顔と物理的に接触して係合するように構成されるように、下部２２の境界に沿って延びる。
【００６２】
この実施形態の別の態様では、呼吸用マスク１０は、フレーム２７を更に含み、本体１２は、フレーム２７上にオーバーモールドされ、フレーム２７は、第１のデュロメータを有する第１の材料からなり、本体１２及びフェイスシール２６は、第２のデュロメータを有する第２の材料からなり、第１のデュロメータは、第２のデュロメータより大きい。この実施形態の別の態様では、フレーム２７及び本体１２は、合わせて、取り付け可能な構成要素を受け入れるように構成された少なくとも１つの開口部２４を画定する。
【００６３】
この実施形態の別の態様では、フェイスシール２６は、標準反曲シール部分２６ａと反転反曲シール部分２６ｂとの間の遷移部分６４を更に有する。この実施形態の別の態様では、遷移部分６４は、少なくとも実質的に平坦である。
【００６４】
この実施形態の別の態様では、本体１２は、ハーネスに係合するように構成された少なくとも１つの取付要素２５を更に含む。
【００６５】
別の実施形態では、呼吸用マスク１０は、上部２０、下部２２、及びフェイスシール２６を含む本体１２を含み、フェイスシール２６は、第１の方向に向けられた開口部３６を画定する第１の断面Ｕ字形状を有する、上部２０の境界に沿って延びる湾曲凸状の第１のシール２６ａ、及び第２の方向に向けられた開口部５６を画定する第２の断面Ｕ字形状を有する、下部２２の境界に沿って延びる湾曲凹状の第２のシール２６ｂを有し、第１の方向及び第２の方向は、互いに少なくとも実質的に反対向きである。
【００６６】
この実施形態の別の態様では、ユーザがマスク１０を装着しているときに、第１の方向は、ユーザの顔から離れ、第２の方向は、ユーザの顔に向かっている。
【００６７】
この実施形態の別の態様では、湾曲凸状の第１のシール２６ａは、本体１２から第２の方向に延びる第１の壁２８、第１の壁２８に少なくとも実質的に平行な、本体１２に向かって第１の方向に延びる第２の壁３２、及び第１の壁２８と第２の壁３２との間に延びる密封ランド部３０を有する。
【００６８】
この実施形態の別の態様では、湾曲凹状の第２のシール２６ｂは、本体１２から第１の方向に延びる第１の壁４８、第１の壁４８から第１の方向及び第２の方向とは異なる方向に延びる第２の壁５０、及び第２の壁５０から第２の方向に延びる第３の壁５２を有し、第１の壁４８及び第３の壁５２は、少なくとも実質的に平行である。この実施形態の別の態様では、湾曲凹状の第２のシール２６ｂの第３の壁５２は、密封面５５を含み、第３の壁５２は、ユーザがマスク１０を装着しているときに密封面５５でユーザの顔と物理的に接触して係合するように構成される。
【００６９】
この実施形態の別の態様では、フェイスシール２６は、本体１２との単一の一体構造で一体的に形成される。
【００７０】
別の実施形態では、口鼻用呼吸用マスクは、第１のデュロメータを有する第１の材料からなるフレーム２７と、第１のデュロメータ未満の第２のデュロメータを有する第２の材料からなる本体１２とを含み、本体１２は、フレーム２７上にオーバーモールドされ、フェイスシール２６を含み、フェイスシール２６は、本体１２との単一の一体構造で一体的に形成される。フェイスシール２６は、第１の壁２８、第２の壁３２、第１の壁２８と第２の壁３２との間に画定された第１の開口部３６、及び第１の開口部３６と対向する第１の壁２８と第２の壁３２との間の第１の接触面３０を有する標準反曲シール部分２６ａを有し、第１の壁２８及び第２の壁３２は、少なくとも実質的に平行であり、第１の開口部３６は、第１の方向に向けられ、第１の接触面は、ユーザがマスク１０を装着しているときにユーザの顔と物理的に接触して係合するように構成される。フェイスシールは、第３の壁４８、第４の壁５２、第３の壁４８と第４の壁５２との間に画定された第２の開口部５６、及び第４の壁５２上の第２の接触面５５を有する反転反曲シール部分２６ｂを更に有し、第２の開口部５６は、第２の方向に向けられ、第１の方向及び第２の方向は、互いに少なくとも実質的に反対向きであり、第２の接触面５５は、ユーザがマスク１０を装着しているときにユーザの顔と物理的に接触して係合するように構成される。
【００７１】
他の実施形態は、以下を含むことができる。
【００７２】
実施形態１．
ユーザの鼻及び口を覆うように構成された本体を備える呼吸用マスクであって、本体は、ユーザの顔に対して本体を少なくとも部分的に密閉するように構成されたフェイスシールを含み、フェイスシールは、ユーザの顔と物理的に接触して係合して、本体とユーザの顔との間のシールの第１のセグメントを形成するように構成された標準反曲シールを含み、フェイスシールは、ユーザの顔と物理的に接触して係合して、本体とユーザの顔との間のシールの第２のセグメントを形成するように構成された反転反曲シールを更に含む、呼吸用マスク。
【００７３】
実施形態２．フェイスシールの標準及び反転反曲シールは、互いに異なる方向に向く開口部を有するＵ字形状を含む、実施形態１の呼吸用マスク。
【００７４】
実施形態３．フェイスシールの標準反曲シールは、概ねユーザの顔から離れて向く開口部を有するＵ字形状を含む、実施形態１の呼吸用マスク。
【００７５】
実施形態４．フェイスシールの反転反曲シールは、概ねユーザの顔に向かって向く開口部を有するＵ字形状を含む、実施形態１の呼吸用マスク。
【００７６】
実施形態５．フェイスシールの標準反曲シールは、本体から標準反曲シールがユーザの顔と物理的に接触して係合するように構成された密封ランド部に外向きに延びる第１の壁を含み、第１の壁は、ユーザがマスクを装着しているときに本体から概ねユーザの顔に向かって延びる方向に外向きに延び、標準反曲シールは、ユーザがマスクを装着しているときに密封ランド部から概ねユーザの顔から離れて延びる方向に外向きに延びる第２の壁を含む、実施形態１の呼吸用マスク。
【００７７】
実施形態６．フェイスシールの反転反曲シールは、本体から第２の壁に延びる第１の壁を含み、第１の壁は、ユーザがマスクを装着しているときに本体から概ねユーザの顔から離れて延びる方向に外向きに延び、反転反曲シールは、ユーザがマスクを装着しているときに第２の壁から概ねユーザの顔に向かって延びる方向に外向きに延びる第３の壁を含み、反転反曲シールは、第３の壁の密封面でユーザの顔と物理的に接触して係合するように構成された、実施形態１の呼吸用マスク。
【００７８】
実施形態７．本体は、内部にユーザの鼻を受け入れるように構成された鼻エリアを含み、フェイスシールの標準反曲シールは、標準反曲シールがユーザの鼻に隣接するユーザの顔と物理的に接触して係合するように構成されるように、鼻エリアに沿って延びる、実施形態１の呼吸用マスク。
【００７９】
実施形態８．本体は、内部にユーザの口を覆うように構成された口エリアを含み、フェイスシールの反転反曲シールは、反転反曲シールがユーザの口に隣接するユーザの顔と物理的に接触して係合するように構成されるように、口エリアに沿って延びる、実施形態１の呼吸用マスク。
【００８０】
実施形態９．フェイスシールの標準反曲シールは、ユーザの上頬及び鼻を覆うように構成された、実施形態１の呼吸用マスク。
【００８１】
実施形態１０．フェイスシールの反転反曲シールは、ユーザの下頬及び下顎を覆うように構成された、実施形態１の呼吸用マスク。
【００８２】
実施形態１１．フェイスシールは、マスク本体との単一の一体構造で一体的に形成された、実施形態１の呼吸用マスク。
【００８３】
実施形態１２．呼吸用マスクは、半マスクである、実施形態１の呼吸用マスク。
【００８４】
実施形態１３．ユーザの顔上に本体を保持するように構成されたハーネスを更に備える、実施形態１の呼吸用マスク。
【００８５】
実施形態１４．本体は、フィルタカートリッジ、弁、又は空気ホースのうちの少なくとも１つを内部に受け入れるように構成された開口部を含む、実施形態１の呼吸用マスク。
【００８６】
実施形態１５．
ユーザの鼻及び口を覆うように構成された本体を備える呼吸用マスクであって、本体は、ユーザの顔に対して本体を少なくとも部分的に密閉するように構成されたフェイスシールを含み、フェイスシールは、ユーザの顔と物理的に接触して係合して、本体とユーザの顔との間のシールの第１のセグメントを形成するように構成された第１のシールを含み、フェイスシールは、ユーザの顔と物理的に接触して係合して、本体とユーザの顔との間のシールの第２のセグメントを形成するように構成された第２のシールを更に含み、第１及び第２のシールは、互いに異なる方向に向く開口部を有するＵ字形状を含む、呼吸用マスク。
【００８７】
実施形態１６．第１のシールのＵ字形状の開口部は、概ねユーザの顔から離れて向く、実施形態１５の呼吸用マスク。
【００８８】
実施形態１７．第２のシールのＵ字形状の開口部は、概ねユーザの顔に向かって向く、実施形態１５の呼吸用マスク。
【００８９】
実施形態１８．フェイスシールの第１のシールは、本体から第１のシールがユーザの顔と物理的に接触して係合するように構成された密封ランド部に外向きに延びる第１の壁を含み、第１の壁は、ユーザがマスクを装着しているときに本体から概ねユーザの顔に向かって延びる方向に外向きに延び、第１のシールは、ユーザがマスクを装着しているときに密封ランド部から概ねユーザの顔から離れて延びる方向に外向きに延びる第２の壁を含む、実施形態１５の呼吸用マスク。
【００９０】
実施形態１９．フェイスシールの第２のシールは、本体から第２のシールがユーザの顔と物理的に接触して係合するように構成された密封ランド部に延びる第１の壁を含み、第１の壁は、ユーザがマスクを装着しているときに本体から概ねユーザの顔から離れて延びる方向に外向きに延び、第２のシールは、ユーザがマスクを装着しているときに密封ランド部から概ねユーザの顔に向かって延びる方向に外向きに延びる第２の壁を含む、実施形態１５の呼吸用マスク。
【００９１】
実施形態２０．フェイスシールの第２のシールは、本体から第２の壁に延びる第１の壁を含み、第１の壁は、ユーザがマスクを装着しているときに本体から概ねユーザの顔から離れて延びる方向に外向きに延び、第２のシールは、ユーザがマスクを装着しているときに第２の壁から概ねユーザの顔に向かって延びる方向に外向きに延びる第３の壁を含み、第２のシールは、第３の壁の密封面でユーザの顔と物理的に接触して係合するように構成された、実施形態１５の呼吸用マスク。
【００９２】
実施形態２１．フェイスシールは、マスク本体との単一の一体構造で一体的に形成された、実施形態１５の呼吸用マスク。
【００９３】
上記の説明は実例となることを意図し、限定するためではないことを理解する必要がある。例えば、上述した実施形態（及び／又はそれらの態様）は、互いに組合わせて使用することができる。加えて、特定の状況又は材料に適応するために、本発明の教示に対して、その範囲を逸脱することなく、多くの改良を行うことができる。本明細書で説明した寸法、材料の種類、様々な構成要素の向き、並びに様々な構成要素の数及び位置は、特定の実施形態のパラメータを規定することを意図しており、決して限定するものではなく、単なる例示的な実施形態である。上記の説明を精査すると、当業者には、特許請求の趣旨及び範囲内の多くの他の実施形態及び改良が明らかになるであろう。したがって、本発明の範囲は、添付の特許請求の範囲を、係る特許請求の範囲に与えられる等価物の全範囲と併せて参照して決定されるべきである。添付の特許請求の範囲において、「含む（including）」及び「そこで（in which）」という用語は、対応する用語「備える／含む（comprising）」及び「そこで（wherein）」の分かりやすい英語の同義語として使用される。更に、以下の特許請求の範囲において、「第１の（first）」、「第２の（second）」、及び「第３の（third）」などの用語は、単に表示として使用され、それらの対象に数値的要件を課すことを意図していない。更に、以下の特許請求の範囲の限定は、手段に機能を加えた形式で書かれておらず、係る特許請求の範囲の限定が「〜ための手段（means for）」という語句を更なる構造体の機能欠如の言明を後に続けて特に使用しない限り、米国特許法１１２条第６節に基づいて解釈されることを意図していない。
【００９４】
本発明は、本明細書で具体的に図示して上述したものに限定されないことが、当業者には理解されるであろう。加えて、上記で反対に言及されない限り、添付の図面のすべては縮尺通りではないことに留意されたい。上記の教示を考慮して、本発明の範囲を逸脱することなく、様々な改良及び変形が可能である。
【図１】
2018532902.tif 000003
【図２】
2018532902.tif 000004
【図３】
2018532902.tif 000005
【図４】
2018532902.tif 000006
【図５】
2018532902.tif 000007
【国際調査報告】
2018532902.tif 000008